(57)【要約】【課題】携帯電話に対応するアクセサリの接続性の判定を容易にする。【解決手段】携帯端末装置は、本体に接続されることにより、本体の機能が付加又は拡張されるアクセサリ１９０の接続情報を格納したアクセサリデータベース１４０と、アクセサリ１９０のＲＦＩＤタグ１８０と近接することにより、アクセサリ１９０のＲＦＩＤタグ１８０との間で非接触通信を行うＲＦＩＤリーダ１０９と、アクセサリ１９０のＲＦＩＤタグ１８０との非接触通信により得られた情報と、アクセサリデータベース１４０に格納されているアクセサリ１９０の接続情報とを照合することにより、本体とアクセサリ１９０との接続性を判定するものである。【選択図】図１
2008270902.tif 000002
【特許請求の範囲】
【請求項１】
本体に接続されることにより、前記本体の機能が付加又は拡張される付加機器の接続情報を格納した接続情報記憶手段と、
前記付加機器と近接することにより、前記付加機器との間で非接触通信を行う非接触通信手段と、
前記非接触通信手段による前記付加機器との非接触通信により得られた情報と、前記接続情報記憶手段に格納されている前記付加機器の接続情報とを照合することにより、前記本体と前記付加機器との接続性を判定する接続性判定手段と
を備えたことを特徴とする携帯端末装置。
【請求項２】
請求項１に記載の携帯端末装置において、
前記接続性判定手段による判定結果を表示する判定結果表示手段
を備えたことを特徴とする携帯端末装置。
【請求項３】
請求項１に記載の携帯端末装置において、
前記接続情報記憶手段は、前記本体固有情報及び前記付加機器関連情報とを含むように記憶することを特徴とする携帯端末装置。
【請求項４】
請求項１に記載の携帯端末装置において、
前記付加機器から得られる情報は、製造会社名、製品名、インターフェース仕様、サポートされている機能、ソフトウエア関連情報、動作確認情報、製造会社のＵＲＬアドレスを含む
ことを特徴とする携帯端末装置。
【請求項５】
請求項３に記載の携帯端末装置において、
前記本体固有情報は、製品名、製造会社名、ソフトウエア関連情報、サポートしているインターフェース仕様及び規格、サポートしている機能、製造会社のＵＲＬアドレスを含む
ことを特徴とする携帯端末装置。
【請求項６】
請求項３に記載の携帯端末装置において、
前記付加機器関連情報は、サポート状況、動作確認済み及びソフトウエア関連情報、既知の問題情報、前記付加機器の製造会社名及び製品名を含む
ことを特徴とする携帯端末装置。
【請求項７】
請求項１に記載の携帯端末装置において、
前記付加機器から得られる情報は、前記付加機器に付着されて前記携帯端末装置との間で非接触通信を行う非接触通信手段から得られる
ことを特徴とする携帯端末装置。
【請求項８】
請求項１に記載の携帯端末装置において、
前記付加機器から得られる情報は、前記付加機器の包装体又は前記付加機器の配列棚に付着されて前記携帯端末装置との間で非接触通信を行う非接触通信手段から得られる
ことを特徴とする携帯端末装置。
【請求項９】
本体に接続されることにより、前記本体の機能が付加又は拡張される付加機器の接続情報を記憶するステップと、
前記付加機器と近接することにより、前記付加機器との間で非接触通信を行うステップと、
前記付加機器との非接触通信により得られた情報と、前記記憶されている前記付加機器の接続情報とを照合することにより、前記本体と前記付加機器との接続性を判定するステップと
を含むことを特徴とする通信方法。
【請求項１０】
携帯端末装置の他の機器との接続を制御するためにコンピュータを、
本体に接続されることにより、前記本体の機能が付加又は拡張される付加機器の接続情報を格納する接続情報記憶手段と、
前記付加機器と近接することにより、前記付加機器との間で非接触通信を行う非接触通信手段と、
前記非接触通信手段による前記付加機器との非接触通信により得られた情報と、前記接続情報記憶手段に格納されている前記付加機器の接続情報とを照合することにより、前記本体と前記付加機器との接続性を判定する接続性判定手段と
として機能させることを特徴とする通信プログラム。
【発明の詳細な説明】
【技術分野】
【０００１】
本発明は、例えば、アクセサリ機器と接続可能な携帯電話などの携帯端末装置、通信方法及び通信プログラムに関するものである。
【背景技術】
【０００２】
従来は、以下のようにしてユーザが所有する携帯電話に対して携帯電話用アクセサリが対応しているかどうかを知るようにしていた。すなわち、携帯電話アクセサリ側のユーザマニュアルやカタログ、あるいはパッケージに記載されている対応する携帯電話の項目をユーザが自ら参照しなければならなかった。
【０００３】
また、同様に、ユーザマニュアルやカタログ、あるいはパッケージに記載されているＵＲＬ（Uniform Resource Locator）に携帯電話装置からアクセスして、対応する携帯電話の項目を携帯電話装置上のモニタ上で参照しなければならなかった。
【０００４】
さらに、最近は、ＵＳＢ（Universal Serial Bus），ＩrＤＡ（Infrared Data Association）、ブルーツゥース、ＷｉＦｉ（Wireless Fidelity）、フラッシュメモリカード等のように、携帯電話と携帯電話アクセサリ間のインターフェースが標準化あるいはデファクトスタンダード化されている。この他にも、携帯電話メーカ以外のいわゆるサードパーティーメーカによる上述したインターフェース仕様に準拠したアクセサリが市場に多く供給されている。
【０００５】
なお、ＲＦＩＤ（Radio Frequency IDentification）タグを使った商品情報の閲覧するための技術が提案されていた(特許文献１参照)。すなわち、この技術では、ユーザの意図を確認せず、ウェブサイトに自動的に接続するものである。
【特許文献１】特開２００５−３３９５７８号公報
【発明の開示】
【発明が解決しようとする課題】
【０００６】
このため、携帯電話メーカにおいても、上記サードパーティーを含めた全てのアクセサリに対して、動作確認や動作保障をすることは事実上不可能になっている。このために、例えば、ブルーツゥース準拠のアクセサリであっても、接続性に問題があるため、ある使用状態において安定して動作しないという不都合が発生している。
【０００７】
このような状況を解決するために、メーカは、携帯電話やアクセサリの出荷後に、それぞれのソフトウエアやファームウエアをバージョンアップするようにしていた。これにより、それまでサポートされていなかったアクセサリが正常に動作するようになる、という場合もあった。
【０００８】
上述したような状況下では、ユーザマニュアル等に記載されているアクセサリのサポートや動作確認の情報については、最新ではなくなったり、正しくなかったりする場合が考えられる。また、店頭等においては、販売員に問い合わせることも可能である。しかし、その場合でも上記のユーザマニュアル等を参照する方法で入手した情報に基づいて、ユーザがアクセサリのサポートや動作確認を判断するものと考えられる。従って、情報の正確さに疑念が残こるものであった。
【０００９】
従って、より正確な情報を入手するためには、事業者や製造メーカのウェブサイトやカスタマーサイト等に問い合わせる必要があった。しかし、これらのサイトへの問い合わせには、アクセスのための手間やコストがかかるものであった。
【００１０】
上述した特許文献１に記載の技術では、ユーザが閲覧を必要としないものまでもアクセスする可能性がある。従って、ユーザに対して閲覧を必要としないウェブサイトにアクセスするためのコストを余計に支払わせる可能性があるという不都合があった。
【００１１】
そこで、本発明は、携帯電話に対応するアクセサリの接続性の判定を容易にすることができる携帯端末装置、通信方法及び通信プログラムの提供を目的とするものである。
【課題を解決するための手段】
【００１２】
上記目的を達成するために、本発明の携帯端末装置は、本体に接続されることにより、本体の機能が付加又は拡張される付加機器の接続情報を格納した接続情報記憶手段と、付加機器と近接することにより、付加機器との間で非接触通信を行う非接触通信手段と、非接触通信手段による付加機器との非接触通信により得られた情報と、接続情報記憶手段に格納されている付加機器の接続情報とを照合することにより、本体と付加機器との接続性を判定する接続性判定手段とを備えたものである。
【００１３】
また、本発明の通信方法は、本体に接続されることにより、本体の機能が付加又は拡張される付加機器の接続情報を記憶するステップと、付加機器と近接することにより、付加機器との間で非接触通信を行うステップと、付加機器との非接触通信により得られた情報と、記憶されている付加機器の接続情報とを照合することにより、本体と付加機器との接続性を判定するステップとを含むものである。
【００１４】
また、本発明の通信プログラムは、携帯端末装置の他の機器との接続を制御するためにコンピュータを、本体に接続されることにより、本体の機能が付加又は拡張される付加機器の接続情報を格納する接続情報記憶手段と、付加機器と近接することにより、付加機器との間で非接触通信を行う非接触通信手段と、非接触通信手段による付加機器との非接触通信により得られた情報と、接続情報記憶手段に格納されている付加機器の接続情報とを照合することにより、本体と付加機器との接続性を判定する接続性判定手段として機能させるものである。
【発明の効果】
【００１５】
本発明によれば、付加機器との間で非接触通信が可能な携帯端末装置において、付加機器から非接触通信により得られた情報に基づいて、携帯端末装置内に構築されたデータベースの付加機器の接続情報を検索及び照合し、本体と付加機器との接続性を判定することにより、接続性のサポート及び動作確認等の情報をユーザに正確且つ安価に提供することができるという効果を奏する。
【発明を実施するための最良の形態】
【００１６】
以下、本発明の一実施の形態を、図１〜５を参照して説明する。
図１は、本実施の形態例の携帯電話の構成例を示すブロック図である。
図１において、携帯電話１００は、基地局に対して送受信を行うアンテナ１０１及び送受信データに送受信のための通信信号処理を行う通信回路１０２を備えている。
【００１７】
また、携帯電話１００は、受話音声、動画ファイルの音声、及び音楽データの音声を出力するスピーカ部１０４と、送話音声等を集音するマイクロホン１０３とを備えている。
また、携帯電話１００は、操作情報や送受信データ等を表示する表示部１０７と、操作情報や送受信データ等を入力するための複数のキーを含む操作部１０６とを備えている。
【００１８】
また、携帯電話１００は、通信アプリケーションプログラム等の各種アプリケーションプログラムを記憶するメモリ１０５と、携帯電話用アクセサリに装着されるＲＦＩＤタグ１８０の情報の読み込み及び制御部１０８内のメモリに書き込みをする処理を無線にて行うＲＦＩＤリーダ１０９とを備えている。
【００１９】
また、携帯電話１００は、制御ライン１２０及びデータライン１３０を介して各部と相互に接続されて各部の制御を司る制御部１０８を備えている。
ここで、メモリ１０５は、携帯電話１００が準拠している外部インターフェース仕様及びプロファイル一覧、携帯電話用アクセサリの製品情報、及び携帯電話１００における動作確認情報などの情報が記憶されていて、これらの情報を一括管理しているアクセサリデータベース１４０を格納している。
【００２０】
また、メモリ１０５は、ＲＦＩＤリーダ１０９と携帯電話用アクセサリに装着されるＲＦＩＤタグ１８０との間の無線通信処理を制御部１０８に実行させるＲＦＩＤリーダドライバプログラム１５０を格納している。
【００２１】
また、メモリ１０５は、ＲＦＩＤリーダ１０９がＲＦＩＤタグ１８０から読み込んだ情報を、データライン１３０を介して制御部１０８内のメモリに書き込みをするためのインターフェースを制御部１０８に実行させるインターフェースプログラム１６０を格納している。
【００２２】
また、メモリ１０５は、ＲＦＩＤリーダ１０９がＲＦＩＤタグ１８０から読み込んだ情報に基づいて、アクセサリデータベース１４０に格納されているアクセサリの接続情報を検索及び照合し、携帯電話１００とアクセサリとの接続性を判定すると共に判定結果を表示部１０７に表示する処理を制御部１０８に実行させるデータベース検索・照合・結果表示プログラム１７０を格納している。
【００２３】
また、携帯電話用アクセサリ１９０は、アクセサリ１９０本体又はそのパッケージにＲＦＩＤタグ１８０が装着されている。ＲＦＩＤタグ１８０内部には、アクセサリ１９０の製品情報、及び準拠している外部インターフェース仕様やサポートしているプロファイル一覧などのアクセサリ固有情報を保有している。また、携帯電話用アクセサリ１９０は、アクセサリ１９０が配列される棚に装着されるようにしても良い。
【００２４】
図２は、アクセサリ側データ例を示す図である。
図２において、アクセサリ側データ例（ＲＦＩＤタグ１８０）２００としては、製造会社２０１、製品名２０２、インターフェース仕様２０３（ＵＳＢ２．０，ＩrＤＡ、ブルーツゥース１．１、ブルーツゥース２．０、ＷｉＦｉ、フラッシュメモリカード等）、サポートされているプロファイル２０４（インターフェース仕様２０３に応じた各種機能）がＲＦＩＤタグ１８０のメモリに記憶されている。
【００２５】
すなわち、携帯電話１００のアンテナ１０１に赤外線送受光部を介して設けられて着信時に赤外線発光により着信表示をする機能を有するアクセサリ１９０の場合は、インターフェース仕様２０３がＩrＤＡで、サポートされているプロファイル２０４が赤外線発光による着信表示機能である。
【００２６】
また、ワイヤレスヘッドホンセットによりマイクロホンで集音した送話音声を無線で携帯電話１００の通信回路１０２に送信すると共に携帯電話１００の通信回路１０２で受信した受話音声を無線でヘッドホンに送信する機能を有するアクセサリ１９０の場合は、インターフェース仕様２０３がブルーツゥース１．１、ブルーツゥース２．０で、サポートされているプロファイル２０４が無線による受話音声及び送話音声の送受信機能である。
【００２７】
また、アクセサリ側データ例（ＲＦＩＤタグ１８０）２００のメモリには、製品のソフトウエア及びファームウエアのバージョン情報２０５、アクセサリの動作確認及び対向機種リスト２０６、アクセサリ製造会社等のＵＲＬアドレス２０７が記憶されている。
【００２８】
すなわち、製品のソフトウエア及びファームウエアのバージョン情報２０５は、逐次行われるバージョンアップが最新のバージョンであるか否かを示す情報（日付け）である。また、アクセサリの動作確認及び対向機種リスト２０６は、アクセサリ１９０の動作確認を行った携帯電話１００のリストである。
【００２９】
また、アクセサリ製造会社等のＵＲＬアドレス２０７は、アクセサリ１９０の情報が掲載された製造会社のホームページを示すＵＲＬアドレスである。
図２に示したアクセサリ側データ例（ＲＦＩＤタグ１８０）２００は、製造段階で予め定められた情報がデフォルト設定される。
【００３０】
図３は、携帯電話側データ例を示す図である。
図３において、携帯電話側データ例（アクセサリデータベース側）３００としては、電話機固有情報３１０及びアクセサリ情報３２０とがアクセサリデータベース１４０に格納されている。
【００３１】
電話機固有情報３１０としては、アクセサリデータベース１４０に、製品名３１１、製造会社３１２、ソフトウエアバージョン情報３１３が記憶されている。また、電話機固有情報３１０としては、サポートしているインターフェース仕様や規格３１４、サポートしているプロファイル３１５、製造会社のＵＲＬアドレス３１６が記憶されている。
【００３２】
すなわち、ソフトウエアバージョン情報３１３は、逐次行われるバージョンアップが最新のバージョンであるか否かを示す情報（日付け）である。また、サポートしているインターフェース仕様や規格３１４は、ＵＳＢ２．０，ＩrＤＡ、ブルーツゥース１．１、ブルーツゥース２．０、ＷｉＦｉ、フラッシュメモリカード等である。
【００３３】
また、サポートしているプロファイル３１５は、インターフェース仕様や規格３１４に対応した各種機能である。また、製造会社のＵＲＬアドレス３１６は、携帯電話１００の情報が掲載された製造会社のホームページを示すＵＲＬアドレスである。
【００３４】
アクセサリ情報３２０としては、アクセサリデータベース１４０に、サポート状況３２１、動作確認済み及びソフトウエアバージョン情報３２２が記憶されている。また、アクセサリ情報３２０としては、既知の問題リスト３２３、アクセサリのメーカ名、製品名３２４が記憶されている。
【００３５】
すなわち、サポート状況３２１は、接続性のあるアクセサリ情報を示し、動作確認済み及びソフトウエアバージョン情報３２２は、図２のアクセサリの動作確認及び対向機種リスト２０６で示した、動作確認を行ったアクセサリ１９０の情報及び逐次行われるバージョンアップが最新のバージョンであるか否かを示す情報（日付け）である。
【００３６】
また、既知の問題リスト３２３は、携帯電話１００とアクセサリ１９０との接続性の判定において、接続性に問題がある（接続不能、接続不十分）と判定されたアクセサリ１９０の情報である。
【００３７】
図３に示した携帯電話側データ例（アクセサリデータベース側）３００のうち、電話機固有情報３１０では、ソフトウエアバージョン情報３１３が更新される可能性のある情報である。また、アクセサリ情報３２０では、ソフトウエアバージョン情報３２２、既知の問題リスト３２３が更新される可能性のある情報である。
図３に示した携帯電話側データ例（アクセサリデータベース側）３００は、製造段階で予め定められた情報がデフォルト設定される。
【００３８】
上述したように構成される携帯電話１００の動作を以下に示すフローチャートを用いて説明する。
図４及び図５は、動作を示すフローチャートである。図１に示した携帯電話１００の制御部１０８は、メモリ１０５に記憶されたＲＦＩＤリーダドライバプログラム１５０、インターフェースプログラム１６０、データベース検索・照合・結果表示プログラム１７０に基づいて、以下の動作を行う。
【００３９】
すなわち、携帯電話１００の制御部１０８は、ユーザが携帯電話用アクセサリ１９０のＲＦＩＤタグ１８０からのアクセサリに関する情報を読み込むことにより、サポート状況を調べて、以下の処理を実行する。
【００４０】
図４において、まず、携帯電話１００の制御部１０８は、ユーザの動作要求があった場合に、ＲＦＩＤリーダ１０９を起動して（ステップＳ１）、ステップＳ２に進む。
次に、携帯電話１００の制御部１０８は、ＲＦＩＤリーダ１０９を介して携帯電話用アクセサリ１９０のＲＦＩＤタグ１８０からのアクセサリ固有情報の読み込み動作が成功したか否かを判断する（ステップＳ２）。
【００４１】
判断ステップＳ２で、アクセサリ固有情報の読み込み動作が失敗したときは、ステップＳ３に進み、アクセサリ固有情報の読み込み動作が成功したときは、ステップＳ４に進む。
すなわち、判断ステップＳ２で、アクセサリ固有情報の読み込み動作が失敗したときは、携帯電話１００の制御部１０８は、携帯電話用アクセサリ１９０のＲＦＩＤタグ１８０からのアクセサリ固有情報の読み込み動作が失敗したことを表示部１０７に表示して（ステップＳ３）、処理を終了する。
【００４２】
また、判断ステップＳ２で、アクセサリ固有情報の読み込み動作が成功したときは、携帯電話１００の制御部１０８は、判断ステップＳ２で読み込んだアクセサリ固有情報のデータ内容を入力として、アクセサリデータベース１４０内のデータの検索処理、照合処理を開始し（ステップＳ４）、ステップＳ５に移行する。
【００４３】
携帯電話１００の制御部１０８は、携帯電話用アクセサリ１９０が使用している外部インターフェース仕様及びプロファイル等が携帯電話１００でサポートされているか否かを判断する（ステップＳ５）。判断ステップＳ５で、携帯電話用アクセサリ１９０が使用している外部インターフェース仕様及びプロファイル等が携帯電話１００でサポートされていないときは、ステップＳ６に進み、サポートされているときは、ステップＳ７に進む。
【００４４】
すなわち、判断ステップＳ５で、携帯電話用アクセサリ１９０が使用している外部インターフェース仕様及びプロファイル等が携帯電話１００でサポートされていないときは、当該アクセサリ１９０は非サポート（携帯電話１００が外部インターフェース仕様及びプロファイル等に対応していない）であることを表示部１０７に表示して（ステップＳ６）、処理を終了する。
【００４５】
また、判断ステップＳ５で、携帯電話用アクセサリ１９０が使用している外部インターフェース仕様及びプロファイル等が携帯電話１００でサポートされているときは、携帯電話１００の制御部１０８は、当該アクセサリ１９０がアクセサリデータベース１４０に登録済みであるか否かを判断する（ステップＳ７）。
【００４６】
判断ステップＳ７で、当該アクセサリ１９０がアクセサリデータベース１４０に登録済みでないときは、携帯電話１００の制御部１０８は、当該アクセサリ１９０は携帯電話１００にて正常に認識されない可能性があることを表示部１０７に表示して、図５のステップＳ１０に移行する。
【００４７】
判断ステップＳ７で、当該アクセサリ１９０がアクセサリデータベース１４０に登録済みでないときは、携帯電話１００の制御部１０８は、アクセサリデータベース１４０から取得した当該アクセサリ１９０についての固有情報を表示部１０７に表示して、図５のステップＳ１０に移行する。
【００４８】
図５において、携帯電話１００の制御部１０８は、当該アクセサリ１９０について最新及び詳細な情報を閲覧可能なウェブサイトのＵＲＬアドレス情報があるか否かを判断する（ステップＳ１０）。
判断ステップＳ１０で、ＵＲＬアドレス情報があるときは、ステップＳ１１に移行し、ＵＲＬアドレス情報があるときは、処理を終了する。
【００４９】
なお、ここでの当該アクセサリ１９０についてのウェブサイトのＵＲＬアドレス情報は、ＲＦＩＤリーダ１０９を介して携帯電話用アクセサリ１９０のＲＦＩＤタグ１８０からの読み込んだ場合と、携帯電話１００のアクセサリデータベース１４０のアクセサリ情報３２０のアクセサリのメーカ名、製品名３２４と共に保持されている場合の２通りが考えられる。いずれか一方に有効なＵＲＬアドレスが存在すればステップＳ１１に移行することになる。
【００５０】
すなわち、判断ステップＳ１０で、ＵＲＬアドレス情報があるときは、携帯電話１００の制御部１０８は、ウェブサイトにアクセスして、当該アクセサリ１９０の固有情報（ソフトウエアアップデート情報を含む最新及び詳細な情報）を検索して、閲覧するか否かを、表示部１０７に表示して、ユーザに問い合わせをする（ステップＳ１１）。
【００５１】
携帯電話１００の制御部１０８は、ウェブサイトにアクセスするか否かを判断する（ステップＳ１２）。
判断ステップＳ１２で、ウェブサイトにアクセスしないか、又は問い合わせ表示のタイムアウトの場合、処理を終了する。判断ステップＳ１２で、ウェブサイトにアクセスする場合、ステップＳ１４へ移行する。
【００５２】
携帯電話１００の制御部１０８は、指定されたＵＲＬアドレスにアクセスし、当該アクセサリ１９０の固有情報を表示する（ステップＳ１３）。すなわち、指定されたＵＲＬアドレスにアクセスする入力があったとき、自動的に携帯電話１００のブラウザを立ち上げて、指定されたＵＲＬアドレスへのアクセスを開始し、このＵＲＬアドレスのページ情報の閲覧及び検索を実施する。
【００５３】
次に、携帯電話１００の制御部１０８は、当該アクセサリ１９０に対するソフトウエアアップデートが存在するか否かを判断する（ステップＳ１４）。
判断ステップＳ１４で、当該アクセサリ１９０に対するソフトウエアアップデートが存在する場合、ステップＳ１６へ移行し、存在しない場合、ステップＳ１６へ移行する。
【００５４】
すなわち、判断ステップＳ１４で、当該アクセサリ１９０に対するソフトウエアアップデートが存在する場合（当該アクセサリ１９０に対応する携帯電話１００の最新ソフトウエアバージョンが存在する場合）、携帯電話１００の制御部１０８は、当該アクセサリ１９０に対するソフトウエアアップデートがあることを表示部１０７に表示する（ステップＳ１６）。これにより、当該アクセサリ１９０に対応する携帯電話１００の最新ソフトウエアバージョンにアップデートするかどうかについて、ユーザの選択を促す。
【００５５】
また、判断ステップＳ１４で、当該アクセサリ１９０に対するソフトウエアアップデートが存在しない場合（当該アクセサリ１９０に対応する携帯電話１００の最新ソフトウエアバージョンが存在しない場合）、携帯電話１００の制御部１０８は、当該アクセサリ１９０に対するソフトウエアアップデートがないことを表示部１０７に表示して、処理を終了する（ステップＳ１５）。
【００５６】
そして、携帯電話１００の制御部１０８は、最新ソフトウエアバージョンにアップデートするか否かを判断する（ステップＳ１７）。
判断ステップＳ１７で、アップデートするときは、ソフトウエアアップデート処理へ移行する（ステップＳ１８）。判断ステップＳ１７で、アップデートしないか、又はアップデート表示のタイムアウトの場合、処理を終了する。
【００５７】
なお、ここでのアップデート処理とは、携帯電話１００に適用されているＯＴＡ（over the air）などによる処理がある。このＯＴＡ処理は、サーバへの問い合わせに対して携帯電話１００に送信される差分プログラムが書き込まれる自動アップデート処理である。あるいはソフトウエアバージョンをアップデートする方法（「ＣＳに問い合わせてください。」等）を表示部１０７に表示する処理がある。
【００５８】
上述した本実施の形態の携帯電話装置によれば、携帯電話用アクセサリの外部インターフェースのサポート・非サポート状況、動作確認状況について、例えば、店頭で第３者に問い合わせることなく、安易にかつ安価に、そして正確に識別することができる。
【００５９】
さらに、ユーザが最新且つ詳細なアクセサリサポート及び動作状況等についての情報をウェブサイトで閲覧可能な場合には、ユーザの意向に基づいてウェブサイトにアクセスする機能を有することができる。
【００６０】
また、アクセサリに対応した携帯電話の最新のソフトウエアバージョンが存在する場合、ユーザにその内容を携帯電話の表示部に通知することができる。
これにより、ユーザがソフトウエアバージョンの更新を必要と判断したときのみ、ソフトウエアバージョンの更新処理又は更新方法を通知することができる。
【００６１】
また、アクセサリのＲＦＩＤタグから入手したアクセサリについての製品情報、または準拠している外部インターフェース仕様やサポートしているプロファイル一覧など、アクセサリ固有情報に基づいて、携帯電話装置内のメモリに保持されているアクセサリデータベース上で情報検索し、アクセサリの携帯電話上でのサポート、動作確認状況等を正確且つ安価にユーザに通知することができる。
【００６２】
また、アクセサリのＲＦＩＤタグ又は携帯電話装置内のアクセサリデータベースから、最新のサポート状況を閲覧、検索できるウェブサイトのＵＲＬアドレスを取得し、ユーザの意向に従って、ウェブサイトにアクセスし、アクセサリの最新のサポート、動作確認状況の情報を入手することができる。
【００６３】
また、ウェブサイトよりアクセサリに対応した最新のソフトウエアバージョンが存在する場合、それをユーザに通知して、ソフトウエアバージョンの更新を行うかどうかを判断することができる。
【００６４】
なお、上述した本実施の形態例に限らず、本発明の要旨を逸脱しない限り、適宜変更しうることは言うまでもない。
【図面の簡単な説明】
【００６５】
【図１】本実施の形態例の携帯電話の構成例を示すブロック図である。
【図２】アクセサリ側データ例を示す図である。
【図３】携帯電話側データ例を示す図である。
【図４】動作を示すフローチャートである。
【図５】動作を示すフローチャートである。
【符号の説明】
【００６６】
１００…携帯電話、１０１…アンテナ、１０２…通信回路、１０３…マイク、１０４…スピーカ、１０５…メモリ、１０６…操作部、１０７…表示部、１０８…制御部、１０９…ＲＦＩＤリーダ、１２０…制御ライン、１３０…データライン、１４０…アクセサリデータベース、１５０…ＲＦＩＤリーダドライバプログラム、１６０…インターフェースプログラム、１７０…データベース検索・照合・結果表示プログラム、１８０…ＲＦＩＤタグ、１９０…携帯電話用アクセサリ、２００…アクセサリ側データ例（ＲＦＩＤタグ１８０）、２０１…製造会社、２０２…製品名、２０３…インターフェース仕様、２０４…サポートされているプロファイル、２０５…製品のソフトウエア及びファームウエアのバージョン情報、２０６…アクセサリの動作確認及び対向機種リスト、２０７…アクセサリ製造会社等のＵＲＬアドレス、３００…携帯電話側データ例（アクセサリデータベース側）、３１０…電話機固有情報、３１１…製品名、３１２…製造会社、３１３…ソフトウエアバージョン情報、３１４…サポートしているインターフェース仕様や規格、３１５…サポートしているプロファイル、３１６…製造会社のＵＲＬアドレス、３２０…アクセサリ情報、３２１…サポート状況、３２２…動作確認済み及びソフトウエアバージョン情報、３２３…既知の問題リスト、３２４…アクセサリのメーカ名、製品名
【図１】
2008270902.tif 000003
【図２】
2008270902.tif 000004
【図３】
2008270902.tif 000005
【図４】
2008270902.tif 000006
【図５】
2008270902.tif 000007